(57)【要約】【課題】鍋やその他の容器に入った動物のぬいぐるみに関する玩具を提供すること。【解決手段】少なくとも頭部および胴体部を有するとともに、目を閉じたり開いたりするように見せる目の動作機構を内蔵したぬいぐるみと、磁石を内蔵した底壁と前記ぬいぐるみの胴体部を収容することができる程度の形状および大きさの収容部を設けた上端開口の収容体を有し、前記目の動作機構は、前記胴体部内の底部付近に配置した磁石の移動にともなって前記目の回動動作を行うようになっており、前記ぬいぐるみを前記収容体に収容した際に、前記胴体部内に配置した磁石を前記底壁に内蔵した磁石と反発若しくは吸着させ、当該反発力若しくは吸着力によって前記目の動作機構を駆動するようにした。【選択図】図３
2009284993.tif 000002
【特許請求の範囲】
【請求項１】
少なくとも頭部および胴体部を有するとともに、目を閉じたり開いたりするように見せる目の動作機構を内蔵したぬいぐるみと、
磁石を内蔵した底壁と前記ぬいぐるみの胴体部を収容することができる程度の形状および大きさの収容部を設けた上端開口の収容体を有し、
前記目の動作機構は、前記胴体部内の底部付近に配置した磁石の移動にともなって前記目の回動動作を行うようになっており、
前記ぬいぐるみを前記収容体に収容した際に、前記胴体部内に配置した磁石を前記底壁に内蔵した磁石と反発若しくは吸着させ、当該反発力若しくは吸着力によって前記目の動作機構を駆動するようにしたことを特徴とする動作玩具。
【請求項２】
前記ぬいぐるみは、頭部と胴体部の大きさがほぼ等しくなる２等身となるように形成されていることを特徴とする請求項１記載の動作玩具。
【発明の詳細な説明】
【技術分野】
【０００１】
本発明は、目を開閉する動作玩具に関するものである。
【背景技術】
【０００２】
近年、土鍋の中で寝ている猫の写真が人気を呼んでいる。このように、鍋やその他の容器に入った小さな動物はとても可愛く見えるものである。しかし、動物を飼えない環境では、実際にこのような仕草を見ることはできない。
また、磁石を使用して人形体を動作させる玩具として特許文献１記載の玩具が知られている。しかし、当該特許文献１には、動物を模したぬいぐるみを鍋や他の容器に入れることによって動作するものは記載されていない。また、鍋や他の容器に収容することを前提として、それに適した形状や大きさに形成されたぬいぐるみの形態も開示されていない。
【特許文献１】実開平３−２４１９９号公報
【発明の開示】
【発明が解決しようとする課題】
【０００３】
本発明は上記課題に鑑み発明されたものであって、鍋やその他の容器に入った動物のぬいぐるみに関する玩具を提供することを課題とするものである。
【課題を解決するための手段】
【０００４】
上記課題を解決するために、請求項１記載の発明は以下の構成を有することを特徴とする。すなわち、
少なくとも頭部および胴体部を有するとともに、目を閉じたり開いたりするように見せる目の動作機構を内蔵したぬいぐるみと、
磁石を内蔵した底壁と前記ぬいぐるみの胴体部を収容することができる程度の形状および大きさの収容部を設けた上端開口の収容体を有し、
前記目の動作機構は、前記胴体部内の底部付近に配置した磁石の移動にともなって前記目の回動動作を行うようになっており、
前記ぬいぐるみを前記収容体に収容した際に、前記胴体部内に配置した磁石を前記底壁に内蔵した磁石と反発若しくは吸着させ、当該反発力若しくは吸着力によって前記目の動作機構を駆動するようにしたことを特徴とする動作玩具。
【０００５】
また、請求項２記載の発明は以下の構成を有することを特徴とする。すなわち、
前記ぬいぐるみは、頭部と胴体部の大きさがほぼ等しくなる２等身となるように形成されていることを特徴とする請求項１記載の動作玩具。
【発明の効果】
【０００６】
本発明は、鍋の中で寝るような子猫や子犬を実際に飼えなくても、ぬいぐるみによって容器の中に入れると寝る子猫や子犬の姿を楽しむことができる。ぬいぐるみの形状を２等身とすることにより、容器から頭だけを出したような形態にすることができる。実際には２等身の犬や猫は存在しないが、このような形態にぬいぐるみを構成することにより、容器への胴体部の収容を可能とし、ぬいぐるみが倒れにくく、さらに可愛らしさをより強調することができるという効果を有している。
【発明を実施するための最良の形態】
【０００７】
以下、本発明を実施するための最良の形態について説明する。図１は、ぬいぐるみ２を容器体３内に収容した状態を表した動作玩具１の外観写真である。また、図２は、容器体３から取り出したぬいぐるみ２単体を表した写真である。
ぬいぐるみ２は、主として頭部４と当該頭部４以外の部分である胴体部５を有している。当該頭部４と胴体部５の外形寸法は、全長および外周囲ともほぼ同程度の寸法比となるように形成されている。これは、ぬいぐるみ２を容器体３に収容する際に、頭部４が容器体３から突出し、胴体部５が容器体３内に収容されているような形態にするためである。これは、デザイン的に可愛らしく見せることと、倒れたりしないように安定した状態を保つためである。すなわち、既存の容器（カップ、鍋等）の形状に合わせ、デザイン的な観点および技術的な観点からぬいぐるみの全体形状を実物のものと異ならせているわけである。本実施の形態においては、ぬいぐるみ２はプードルの子犬を大凡二等身のぬいぐるみとしてデザインしたものであり、容器体３はティーカップとしてデザインされている。
【０００８】
図３は、ぬいぐるみ２の内部に収容した目の動作機構６と容器体３との関係を説明するための説明図である。動作機構６は、下端に磁石７を取り付けた移動部材８を有している。当該移動部材８は、上下方向に長く形成された部材であり、その一部にラック９が設けられている。
また、動作機構６は、回動可能に軸支された２個一対の眼球部１０と係合する係合部１１を上部に設けた移動部材１２を有している。当該移動部材１２は、前記移動部材８と平行に移動するようにガイドされており、一部にラック１３を設けている。
移動部材８のラック９と移動部材１２のラック１３は、ともに一つのピニオン１４と歯合しており、移動部材８の上昇に伴って移動部材１２が下降し、移動部材８の下降に伴って移動部材１２が上昇するようになっている。すなわち、両者は相対的に反対方向へ向かって移動するようになっている。
【０００９】
移動部材８の下端に設けた磁石７は、ぬいぐるみ２の底面付近に配置されるようになっている。したがって、ぬいぐるみの底面付近に、他の磁石若しくは鉄等の磁性体がある場合、これら磁石若しくは磁性体の影響を受けて上下動するようになっている。
また、移動部材１２は、一端を固定した圧縮コイルスプリング１５の他端と係合しており、当該圧縮コイルスプリング１５によって下方に押圧されている。したがって、移動部材１２にピニオン１４を介して力が作用していない場合には、移動部材１２は下方位置にあり、この際前記眼球部１０を上方に向かって回動させている。
眼球部１０の表面には瞳に相当する部分が設けられている。ぬいぐるみ２の頭部４に設けた２個の孔から瞳が見えている場合には目が開いており、瞳が見えていない場合には目が閉じているように見えるようになっている。
すなわち、前記移動部材１２が圧縮コイルスプリング１５の押圧によって下方に位置している場合には、前記眼球部１０が上方に向かって回動しているので、ぬいぐるみ２の頭部４に設けた２個の孔から瞳が見えている状態になる。言い換えれば、ぬいぐるみ２に対して外部から磁力を作用させていない場合には、ぬいぐるみ２は目を開けた状態となっている。
【００１０】
容器体３の底壁内部には磁石１６が設けられている。当該磁石１６は、容器体３内にぬいぐるみ２の胴体部５を収容した際に、ぬいぐるみ２の内部に設けた移動部材８の磁石７と引き合うようにその位置および極性が定められている。
容器体３にぬいぐるみ２の胴体部５を収容すると、前述のように容器体３に設けた磁石１６が、磁石７を引きつけてぬいぐるみ２の内部の移動部材８を下降させる。そして、移動部材８が下降すると、ピニオン１４を介して移動部材１２を上昇させる。移動部材１２は、常態において圧縮コイルスプリング１５によって押され下方に位置しているが、移動部材８が受ける磁力が圧縮コイルスプリング１５の押圧力に勝り移動部材１２を上昇させる。
【００１１】
移動部材１２の上昇にともなって、眼球部１０が下方に向かって回動すると、頭部４に設けた２個の孔から見えていた瞳が見えなくなり、ぬいぐるみ２は目を閉じた状態になる
。このように、本発明に係る動作玩具１は、ぬいぐるみ２をティーカップを模した容器体３内に入れると目を閉じた常態になり、ぬいぐるみ２をティーカップから取り出すことによって目を開けた常態になるものである。
【００１２】
上記の説明は、容器体３としてティーカップを例に説明したが、コップ、スープカップ、鍋等の他の形態のものであっても差し支えがないものである。
また、上記の説明は、ぬいぐるみの磁石と容器体の磁石を吸着させることにより、ぬいぐるみの目を閉じるように構成したが、磁石同士の反発力によって各移動部材を動作させ、目を駆動しても良いものであり、このような形態であっても本発明の技術的範囲に含まれるものである。
【産業上の利用可能性】
【００１３】
本発明は、容器内に入れると目を閉じ、容器から取り出すと目を開ける動作を行うぬいぐるみを有した動作玩具に利用可能である。
【図面の簡単な説明】
【００１４】
【図１】本発明に係る動作玩具の外観写真である。
【図２】本発明に係る動作玩具に用いるぬいぐるみの外観写真である。
【図３】本発明に係る動作玩具の説明図である。
【図４】本発明に係る動作玩具の説明図である。
【符号の説明】
【００１５】
１  動作玩具
２  ぬいぐるみ
３  容器体
４  頭部
５  胴体部
６  目の動作機構
７  磁石
８  移動部材
９  ラック
１０  眼球部
１１  係合部
１２  移動部材
１３  ラック
１４  ピニオン
１５  圧縮コイルスプリング
１６  磁石
【図１】
2009284993.tif 000003
【図２】
2009284993.tif 000004
【図３】
2009284993.tif 000005
【図４】
2009284993.tif 000006